(57)【要約】【課題】異常が発生した場合に確実、かつ迅速に対処すること。【解決手段】決済要求操作が行われた場合に情報処理センタに決済要求を行う一方、情報処理センタから決済完了通知が与えられた場合にこれをカード発行機３０に通知するデビット決済端末装置５０であって、予め設定したチェック項目を表示するチェック項目表示制御部５０５と、チェック項目表示制御部５０５によって表示されたチェック項目に対してチェック結果を入力するための入力部５６と、入力部５６からの入力情報に基づいて異常が発生しているか否かを判断する異常判断部５０８と、異常判断部５０８が少なくとも異常が発生していると判断した場合にこれを情報処理センタに通知する通知部５０９とを備えている。【選択図】        図３
2006146770.tif 000002
【特許請求の範囲】
【請求項１】
決済要求操作が行われた場合にセンタ装置に決済要求を行うとともに、前記センタ装置から決済完了通知を受け取る電子決済端末装置であって、
予め設定したチェック項目を表示するチェック項目表示手段と、
前記チェック項目表示手段によって表示されたチェック項目に対してチェック結果を入力するためのチェック結果入力手段と、
前記チェック結果入力手段からの入力情報に基づいて異常が発生しているか否かを判断する異常判断手段と、
前記異常判断手段が少なくとも異常が発生していると判断した場合にこれを前記センタ装置に通知する通知手段と
を備えることを特徴とする電子決済端末装置。
【請求項２】
前記異常判断手段は、予め設定した自己診断処理を実施し、その実施結果に基づいて異常が発生しているか否かを判断する機能を有することを特徴とする請求項１に記載の電子決済端末装置。
【請求項３】
前記異常判断手段は、起動毎に自己診断処理を実施し、前記チェック項目表示手段は、前記異常判断手段による自己診断処理の実施後にチェック項目の表示を行うことを特徴とする請求項２に記載の電子決済端末装置。
【請求項４】
全てのチェック項目に正常である旨を示すチェック結果が入力されたことを条件に決済要求受付状態に移行することを特徴とする請求項１または３に記載の電子決済端末装置。
【請求項５】
前記チェック項目表示手段は、前記チェック結果入力手段からの入力情報に応じて表示態様を変更することを特徴とする請求項１に記載の電子決済端末装置。
【請求項６】
操作者を特定するための識別情報を取得する識別情報取得手段と、
前記識別情報取得手段が取得した識別情報を前記チェック結果入力手段からの入力情報に対応付けて管理するチェック結果管理手段と
を備えることを特徴とする請求項１に記載の電子決済端末装置。
【請求項７】
決済要求操作が行われた場合にセンタ装置に決済要求を行うとともに、前記センタ装置から決済完了通知を受け取る電子決済端末装置を備えた電子決済システムであって、
前記電子決済端末装置は、
予め設定したチェック項目を表示するチェック項目表示手段と、
前記チェック項目表示手段によって表示されたチェック項目に対してチェック結果を入力するためのチェック結果入力手段と、
前記チェック結果入力手段からの入力情報に基づいて異常が発生しているか否かを判断する異常判断手段と、
前記異常判断手段が少なくとも異常が発生していると判断した場合にこれを前記センタ装置に通知する通知手段と
を備え、かつ前記センタ装置は、前記通知手段から異常発生情報が与えられた場合、当該電子決済端末装置からの決済要求を拒否することを特徴とする電子決済システム。
【請求項８】
前記センタ装置は、前記チェック項目表示手段で表示するチェック項目を設定し、設定したチェック項目を前記電子決済端末装置のチェック項目表示手段に与えるチェック項目設定手段を備えることを特徴とする請求項７に記載の電子決済システム。
【請求項９】
前記センタ装置は、前記通知手段から与えられた通知情報を格納する通知情報格納手段を備えることを特徴とする請求項７に記載の電子決済システム。
【請求項１０】
前記電子決済端末装置は、
操作者を特定するための識別情報を取得する識別情報取得手段と、
前記識別情報取得手段が取得した識別情報を前記チェック結果入力手段からの入力情報に対応付けて管理するチェック結果管理手段と
を備え、かつ前記通知手段は、前記チェック結果管理手段によって識別情報に対応付けられた通知情報を前記センタ装置に対して通知することを特徴とする請求項９に記載の電子決済システム。
【請求項１１】
前記電子決済端末装置が正常な決済完了通知を受け取ると、遊技媒体の貸出基準となる有価価値の記録媒体への関連付けに係わる処理を実施する関連付け手段を備えることを特徴とする請求項７に記載の電子決済システム。
【発明の詳細な説明】
【技術分野】
【０００１】
本発明は、デビット決済等の電子決済を行うための電子決済端末装置及び電子決済システムに関するものである。
【背景技術】
【０００２】
昨今では、パチンコ機やパチスロ機等の遊技機を設置した遊技店においても電子決済を利用して遊技を行うことが可能になってきている。例えばプリペイドカードの発行機にデビット決済端末装置を並設した遊技店においては、デビット決済端末装置にデビットカード（銀行や郵便貯金のキャッシュカード）を挿入した後に暗証番号を入力する等の決済要求操作を行えば、情報処理センタにおいて決済が行われことになり、正常な決済完了通知が与えられた場合、カード発行機から希望金額分のプリペイドカードを購入することができるようになる（例えば、特許文献１参照）。
【０００３】
通常、この種の遊技店では、セキュリティ維持の観点から毎日営業開始前にデビット決済端末装置のチェックを行うようにしている。これは、デビットカードの暗証番号やカード情報を不正に取得しようとする者によってデビット決済端末装置が改造されていないか確認するものである。チェック項目は、例えば１ヶ月分がリスト表示されており、異常がなければ「○」、異常が見つかれば「×」をそれぞれ対応する欄に記入していくことで漏れがないようにしている。
【０００４】
チェックリストに「×」を記入する必要が生じた場合、つまり異常を発見した場合には、直ちにデビット決済端末装置の使用を中止するとともに、情報処理センタに対して異常発生及び該当個所に関して電話連絡により報告を行う。これにより、情報処理センタにおいても異常を確認し、かつこれに対処することができるようになる。なお、１ヶ月分の記入が終わったリストは、各遊技店から情報処理センタにＦＡＸ送信することで一括管理するようにしている。
【０００５】
【特許文献１】特開２００３−１６４９７号公報
【発明の開示】
【発明が解決しようとする課題】
【０００６】
ところで、上記のようなチェック体制にあっては、情報処理センタで異常発生を確認できるのが遊技店からの電話による報告のみとなる。つまり、遊技店からの連絡がない限り、情報処理センタではデビット決済端末装置に異常が発生していないと判断せざるを得ない。従って、例えば遊技店からの報告が遅延した場合にはその間の不正を許す虞れがあり、また報告そのものを忘れた場合には情報処理センタでは適正な対処を行えないことになる。
【０００７】
その上、チェックリストに確認結果（○、×）を記入し、情報処理センタへＦＡＸ送信する方式では、次のような課題もある。そもそも、ＦＡＸ送信を忘れてしまえば、情報処理センタ側ではチェックリストを管理できない。また、手書きしたものをＦＡＸ送信するので、記入漏れが生じたり、記入内容が不明確になることがある。さらには、チェック項目が変更あるいは追加された場合であっても、古いチェックリストをそのまま使用し、正常なチェックが行われない。
【０００８】
本発明は、上記実情に鑑みて、異常が発生した場合に確実、かつ迅速に対処することのできる電子決済端末装置及び電子決済システムを提供することを目的とする。
【課題を解決するための手段】
【０００９】
上記目的を達成するために、本発明の請求項１に係る電子決済端末装置は、決済要求操作が行われた場合にセンタ装置に決済要求を行うとともに、前記センタ装置から決済完了通知を受け取る電子決済端末装置であって、予め設定したチェック項目を表示するチェック項目表示手段と、前記チェック項目表示手段によって表示されたチェック項目に対してチェック結果を入力するためのチェック結果入力手段と、前記チェック結果入力手段からの入力情報に基づいて異常が発生しているか否かを判断する異常判断手段と、前記異常判断手段が少なくとも異常が発生していると判断した場合にこれを前記センタ装置に通知する通知手段とを備えることを特徴とする。
【００１０】
また、本発明の請求項２に係る電子決済端末装置は、上述した請求項１において、前記異常判断手段は、予め設定した自己診断処理を実施し、その実施結果に基づいて異常が発生しているか否かを判断する機能を有することを特徴とする。
【００１１】
また、本発明の請求項３に係る電子決済端末装置は、上述した請求項２において、前記異常判断手段は、起動毎に自己診断処理を実施し、前記チェック項目表示手段は、前記異常判断手段による自己診断処理の実施後にチェック項目の表示を行うことを特徴とする。
【００１２】
また、本発明の請求項４に係る電子決済端末装置は、上述した請求項１または３において、全てのチェック項目に正常である旨を示すチェック結果が入力されたことを条件に決済要求受付状態に移行することを特徴とする。
【００１３】
また、本発明の請求項５に係る電子決済端末装置は、上述した請求項１において、前記チェック項目表示手段は、前記チェック結果入力手段からの入力情報に応じて表示態様を変更することを特徴とする。
【００１４】
また、本発明の請求項６に係る電子決済端末装置は、上述した請求項１において、操作者を特定するための識別情報を取得する識別情報取得手段と、前記識別情報取得手段が取得した識別情報を前記チェック結果入力手段からの入力情報に対応付けて管理するチェック結果管理手段とを備えることを特徴とする。
【００１５】
また、本発明の請求項７に係る電子決済システムは、決済要求操作が行われた場合にセンタ装置に決済要求を行うとともに、前記センタ装置から決済完了通知を受け取る電子決済端末装置を備えた電子決済システムであって、前記電子決済端末装置は、予め設定したチェック項目を表示するチェック項目表示手段と、前記チェック項目表示手段によって表示されたチェック項目に対してチェック結果を入力するためのチェック結果入力手段と、前記チェック結果入力手段からの入力情報に基づいて異常が発生しているか否かを判断する異常判断手段と、前記異常判断手段が少なくとも異常が発生していると判断した場合にこれを前記センタ装置に通知する通知手段とを備え、かつ前記センタ装置は、前記通知手段から異常発生情報が与えられた場合、当該電子決済端末装置からの決済要求を拒否することを特徴とする。
【００１６】
また、本発明の請求項８に係る電子決済システムは、上述した請求項７において、前記センタ装置は、前記チェック項目表示手段で表示するチェック項目を設定し、設定したチェック項目を前記電子決済端末装置のチェック項目表示手段に与えるチェック項目設定手段を備えることを特徴とする。
【００１７】
また、本発明の請求項９に係る電子決済システムは、上述した請求項７において、前記センタ装置は、前記通知手段から与えられた通知情報を格納する通知情報格納手段を備えることを特徴とする。
【００１８】
また、本発明の請求項１０に係る電子決済システムは、上述した請求項９において、前記電子決済端末装置は、操作者を特定するための識別情報を取得する識別情報取得手段と、前記識別情報取得手段が取得した識別情報を前記チェック結果入力手段からの入力情報に対応付けて管理するチェック結果管理手段とを備え、かつ前記通知手段は、前記チェック結果管理手段によって識別情報に対応付けられた通知情報を前記センタ装置に対して通知することを特徴とする。
【００１９】
また、本発明の請求項１１に係る電子決済システムは、上述した請求項７において、前記電子決済端末装置が正常な決済完了通知を受け取ると、遊技媒体の貸出基準となる有価価値の記録媒体への関連付けに係わる処理を実施する関連付け手段を備えることを特徴とする。
【発明の効果】
【００２０】
本発明によれば、異常が発生した場合、通知手段によってセンタ装置に通知されるため、連絡の遅延や失念といったケアレスミスによる問題が発生することがなく、仮に不正な改造が行われていた場合にも迅速に対処することで損害を最小限に留めることが可能となる。
【発明を実施するための最良の形態】
【００２１】
以下に添付図面を参照して、本発明に係る電子決済端末装置及び電子決済システムの好適な実施の形態について詳細に説明する。
【００２２】
図１は、本発明の実施の形態である電子決済システムを適用した遊技媒体貸出システムの概略構成を示すブロック図である。ここで例示する遊技媒体貸出システムは、複数のパチンコ機を設置した遊技店において、遊技媒体であるパチンコ玉を借り受ける際に必要となるプリペイドカードを現金の他、デビットカードを用いた電子決済（デビット決済）によっても購入できるようにしたものである。デビットカードは、銀行や郵便貯金で用いるキャッシュカードである。
【００２３】
一方、プリペイドカードは、遊技店が発行するカード状の記録媒体である。このプリペイドカードには、例えば発行店の識別情報、カード固有の識別コード、発行金額、カード種別等が磁気記録してあるとともに、発行店名、カード固有識別情報、発行金額及び有効期限等が目視できるように印字してある。
【００２４】
また、プリペイドカードには、パチンコ玉を借り受ける際の基準となる有価価値、具体的には「度数」と称される有価価値が付与してある。ここでいう「度数」とは、パチンコ玉を貸し出しする際の処理単位として設定したものである。例えば１度数が１００円に対応し、１度数で２５個のパチンコ玉を貸し出すように設定してある。本実施の形態の場合には、プリペイドカード個々の度数は直接記録せず、後述するターミナルコントローラに記憶させるようにしている。
【００２５】
図１に示すように、このプリペイドカードを用いる遊技媒体貸出システムでは、「島」と呼ばれるグループごとに複数のパチンコ機１０及びカード処理ユニット２０が並設してあるとともに、各島にカード発行機３０、カード精算機４０等の記録媒体処理装置が設けてあり、さらにカード発行機３０のそれぞれにデビット決済端末装置５０が付設してある。
【００２６】
パチンコ機１０は、パチンコ玉を遊技領域に発射して遊技客が遊技を行うものである。カード処理ユニット２０は、プリペイドカードに関連付けられた度数を上限とするパチンコ玉の貸し出し処理を主機能とするものである。本実施の形態では、パチンコ機１０の相互間に挟まれる形でカード処理ユニット２０を設置し、それぞれのパチンコ機１０に対して１台ずつペアとなるように構成してある。
【００２７】
カード発行機３０は、プリペイドカードの発行処理、並びにプリペイドカードに関連付けられた度数に対する加算処理を主機能とするものであり、またカード精算機４０は、プリペイドカードに関連付けられた度数を現金として払い戻す処理を主機能とするものであり、それぞれ遊技店１に数台ずつ設置してある。
【００２８】
これらのパチンコ機１０、カード処理ユニット２０、カード発行機３０及びカード精算機４０は、各島に設けた島コントローラ６０を通じてターミナルコントローラ７０と称される管理装置の制御下にある。ターミナルコントローラ７０は、遊技店１に少なくとも１台設置してあり、設置した遊技店１の統括管理、例えばプリペイドカードの管理や売り上げ管理等を行うとともに、プリペイドカード個々の有価価値に関する情報を記憶管理するものである。また、ターミナルコントローラ７０は、公衆回線網を通じてカード会社センタ８０にも接続されており、カード会社センタ８０との間において必要となる情報の送受信を行うことが可能である。
【００２９】
図２は、デビット決済端末装置５０の外観を例示した正面図、図３は、デビット決済端末装置５０の概略構成を示すブロック図である。デビット決済端末装置５０は、図２及び図３に示すように、独立した筐体５１に個別のユニットとして構成したもので、筐体５１の前面に設けた扉体５２にデビットカード挿入／返却口５３、レシート排出口５４、表示部（チェック項目表示手段）５５及び入力部（チェック結果入力手段）５６を備えている。
【００３０】
デビットカード挿入／返却口５３は、デビットカードを受け入れてカード処理部５０１に取り込む一方、カード処理部５０１において所望の処理を行った後のデビットカードを返却するための開口である。カード処理部５０１は、取り込んだデビットカードに記録されている情報を読み取り、その読み取り結果を後述のデビット制御部５０２に与えるものである。
【００３１】
レシート排出口５４は、印字部５０３において印字処理されたレシートを排出するための開口である。印字部５０３は、与えられた情報をレシートとして印字出力するためのものである。
【００３２】
表示部５５は、与えられた各種情報を外部に表示するためのものであり、例えば液晶表示器によって構成してある。
【００３３】
入力部５６は、確認スイッチや取消スイッチ等の各種機能スイッチ、さらにはデビットカードの暗証番号を入力するためのテンキースイッチを備えて構成したものである。入力部５６がＯＮ操作された場合、その検出信号や入力情報が後述のデビット制御部５０２を通じて各部に与えられることになる。
【００３４】
デビット制御部５０２は、予めメモリ５０４に格納されたプログラム及びデータ、並びにカード処理部５０１や入力部５６から与えられた情報に基づいて各部を統括的に制御し、遊技店１でのデビットカードの使用を可能とするものである。このデビット制御部５０２は、通信インターフェース（Ｉ／Ｆ）部５１０を通じて外部と適宜情報交換することが可能である。本実施の形態では、通信インターフェース部５１０を介してカード発行機３０に接続されているとともに、公衆回線網を通じて後述するデビットカードシステムの情報処理センタ１００（センタ装置）に接続され、さらには図１に示すように、クリアリングセンタ１１１を含むＣＡＦＩＳ（Credit and Finance Information System）ネットワーク１１０、並びに遊技客の口座を有するデビットカード発行銀行１２０及び情報処理センタ１００の口座を有する加盟店銀行１３０に接続されている。
【００３５】
また、デビット決済端末装置５０は、図３に示すように、デビット制御部５０２の制御下にチェック項目表示制御部（チェック項目表示手段）５０５、識別情報取得部（識別情報取得手段と）５０６、チェック結果管理部（チェック結果管理手段）５０７、異常判断部（異常判断手段）５０８及び通知部（通知手段）５０９を備えている。
【００３６】
チェック項目表示制御部５０５は、デビット制御部５０２から表示指令が与えられた場合、予めメモリ５０４に格納された複数のチェック項目から該当するものをロードし、表示部５５を通じてこれを表示するものである。チェック項目表示制御部５０５によって表示部５５に表示されるチェック項目は、例えば「ネジを無理に外そうとした跡がないか」、「穴が開けられていないか」、「異物が取り付けられた形跡がないか」、「封印シールに欠損、剥がれ、偽造等の異常がないか」等のように、主にデビット決済端末装置５０を外観からチェックする場合の要領を質問形式で示すものである。
【００３７】
識別情報取得部５０６は、デビット制御部５０２から取得指令が与えられた場合、表示部５５を通じて識別情報の入力要求表示を行った後に入力部５６の入力情報を監視し、操作者を特定するための識別情報が入力された場合にこれをメモリ５０４に格納するものである。識別情報としては、例えば予め操作者に付与された識別コードやパスワードを用いることができる。
【００３８】
チェック結果管理部５０７は、チェック項目が表示されている場合に入力部５６からの入力情報を監視し、入力された入力情報に対して識別情報取得部５０６が取得した識別情報を対応付け、これをメモリ５０４に格納するものである。
【００３９】
異常判断部５０８は、チェック結果管理部５０７によってメモリ５０４に格納された入力情報とチェック項目との組み合わせからデビット決済端末装置５０に異常が発生しているか否かを判断するものである。また異常判断部５０８は、デビット制御部５０２から自己診断指令が与えられた場合、予め設定された自己診断処理を実施し、その実施結果に基づいてデビット決済端末装置５０に異常が発生しているか否かの判断も行う。自己診断処理は、例えば電源投入時に各部が正常に動作するかをチェックするためのものである。異常判断部５０８の判断結果は、いずれもデビット制御部５０２に返送されることになる。
【００４０】
通知部５０９は、デビット制御部５０２から通知指令が与えられた場合、異常判断部５０８の判断結果を識別情報（端末装置を特定する情報及び操作者を特定する情報を含む）とともに通知情報として情報処理センタ１００に通知するものである。
【００４１】
一方、公衆回線網を通じてデビット決済端末装置５０に接続された情報処理センタ１００は、図４に示すように、決済要求処理部１０１、チェック項目設定部（チェック項目設定手段）１０２、通知情報処理部１０３、センタ制御部１０４を備えている。
【００４２】
決済要求処理部１０１は、デビット決済端末装置５０から決済要求が与えられた場合にこれを処理し、該当するデビット決済端末装置５０に対して決済完了通知を返送するものである。
【００４３】
チェック項目設定部１０２は、デビット決済端末装置５０のチェック項目表示制御部５０５によって表示部５５に表示されるチェック項目を設定するためのものである。設定したチェック項目は、チェック項目設定部１０２により通信インターフェース（Ｉ／Ｆ）部１０５から公衆回線網を通じて各遊技店１のデビット決済端末装置５０に送信されることになる。尚、デビット決済端末装置５０に送信されたチェック項目は、デビット制御部５０２によってデビット決済端末装置５０のメモリ５０４に格納され、新たなチェック項目として更新されることになる。
【００４４】
図５は、チェック項目設定部１０２によるチェック項目設定例を示した概念図である。すなわち、チェック項目設定部１０２は、情報処理センタ１００の表示部１０６を通じてチェック項目の設定画面を表示し、この設定画面に対して入力部１０７から入力された入力情報をチェック項目として設定するようにしている。この設定処理は、初期設定時以外に、チェック項目の変更（追加や削除等）が必要となったときに行われる。設定された内容は、管理下のデビット決済端末装置５０へ送信され、各装置のメモリ５０４に記録される。複数台のデビット端末装置５０に対してチェック項目の変更情報を送信できるので、チェック項目の変更を容易、かつ確実に行うことができる。
【００４５】
通知情報処理部１０３は、デビット決済端末装置５０の通知部５０９から与えられた通知情報をデータベース１０８に管理格納するものである。データベース１０８に格納する通知情報がデビット決済端末装置５０の異常を示すものであった場合、通知情報処理部１０３は、決済要求処理部１０１に対して該当デビット決済端末装置５０からの決済要求を拒否するように設定を行う機能も有している。
【００４６】
センタ制御部１０４は、予めメモリ１０９に格納されたプログラム及びデータ、並びに入力部１０７や通信インターフェース部１０５から与えられた情報に基づいて各部を統括的に制御するものである。
【００４７】
図６は、上述したデビット決済端末装置５０のデビット制御部５０２が実行する処理の内容を示したフローチャート、図７は、デビット決済端末装置５０の通知部５０９から通知情報が与えられた場合に情報処理センタ１００のセンタ制御部１０４が実行する処理の内容を示したフローチャートである。以下、これらのフローチャートを参照しながらデビット決済端末装置５０及び情報処理センタ１００の動作について説明し、併せて遊技媒体貸出システムについて詳述する。
【００４８】
図６に示すように、デビット決済端末装置５０のデビット制御部５０２は、電源が投入された場合、まず異常判断部５０８を通じて自己診断処理を実施し、各部が正常に動作するかをチェックする（ステップＳ１、ステップＳ２、ステップＳ３）。尚、自己診断処理の具体的な内容としては、各部位への通電チェック、カード処理部５０１や印字部５０３の動作チェック、外部との通信チェック等がある。
【００４９】
自己診断処理が終了し、異常判断部５０８を通じてデビット決済端末装置５０に異常が発生していると判断したデビット制御部５０２は、通知部５０９を通じてその旨を通知情報として情報処理センタ１００に送信し、さらに表示部５５を通じて受付不可表示を行った後にエラーダウンする（ステップＳ３否定→ステップＳ４→ステップＳ５→ステップＳ６）。
【００５０】
一方、デビット決済端末装置５０から異常が発生した旨の通知情報を受信した情報処理センタ１００のセンタ制御部１０４は、図７に示すように、通知情報処理部１０３を通じて決済要求処理部１０１に該当デビット決済端末装置５０からの決済要求拒否設定を行い（ステップＳ１１→ステップＳ１２→ステップＳ１３）、その後に通知情報をデータベース１０８に格納する（ステップＳ１４）。
【００５１】
つまり、自己診断処理の結果、デビット制御部５０２が異常判断部５０８を通じて異常が発生していると判断した場合には、デビット決済端末装置５０が直ちにエラーダウンするとともに、デビット決済端末装置５０からの決済要求も情報処理センタ１００で自動的に拒否設定されることになる。従って、仮に自己診断処理に係る異常発生の原因が悪意のある者による不正改造にあるとしても、実質的にデビット決済が不可能になり、大きな損害を蒙る虞れがなくなる。
【００５２】
尚、デビット決済端末装置５０に発生したエラーダウンは、遊技店１の係員や保守点検者の修理がない限り自動的に復旧することはない。これに対して情報処理センタ１００の決済要求拒否設定は、ステップＳ１２の処理において異常がないと判断された時点で解消されることになる（ステップＳ１５）。
【００５３】
一方、図６のステップＳ２で実施した自己診断処理に異常がないと判断した場合、デビット制御部５０２は、次にチェック処理を実行する（ステップＳ７）。図８は、このチェック処理の詳細を示したフローチャートである。
【００５４】
図８に示すように、チェック処理においてデビット制御部５０２は、図示せぬセンサを通じて扉体５２が開成されたか否かを監視する（ステップＳ１０１）。遊技店１の係員等、チェック操作者によって扉体５２が開成され、これが検出されると（ステップＳ１０１肯定）、識別情報取得部５０６を通じて表示部５５に識別情報の入力要求表示を行い（ステップＳ１０２）、入力部５６を通じた識別情報の入力待ちとなる（ステップＳ１０３）。
【００５５】
遊技店１の係員が入力部５６を操作し、自己の識別情報を入力すると（ステップＳ１０３肯定）、デビット制御部５０２は、識別情報取得部５０６を通じてこれを一時的にメモリ５０４に格納し（ステップＳ１０４）、次いでチェック項目表示制御部５０５を通じてメモリ５０４からチェック項目のロード・表示を行う（ステップＳ１０５）。ステップＳ１０５でまず読み出されるチェック項目は、例えば図１０（ａ）に示すように、予め最初に表示すべきチェック項目１として設定されたものである。
【００５６】
チェック項目表示制御部５０５を通じて表示部５５に表示を行ったデビット制御部５０２は、その後、入力部５６からのチェック結果の入力待ちとなる（ステップＳ１０６）。
【００５７】
表示部５５に表示されたチェック項目に従ってチェック操作者がデビット決済端末装置５０のチェック作業を行い、入力部５６からチェック結果を入力すると（ステップＳ１０６肯定）、デビット制御部５０２は、チェック結果管理部５０７を通じてそのチェック結果を示すデータに先の識別情報を対応付けてメモリ５０４に格納する（ステップＳ１０７）。
【００５８】
以降、デビット制御部５０２は、チェック項目が終了するまでステップＳ１０５〜ステップＳ１０７の処理を繰り返し行うことにより、チェック操作者に対して予め設定したチェック項目のチェックを漏れなく全て実施させることになる。この間、表示部５５を通じて表示されるチェック項目は、図１０（ａ）から図１０（ｂ）に示すように、入力部５６から入力に応じて適宜変化することになり、チェック操作者に対して視認性を向上させることができる。
【００５９】
全てのチェック項目に対してチェック結果が入力されると（ステップＳ１０８肯定）、デビット制御部５０２は、扉体５２の閉成を確認した後に手順をリターンし（ステップＳ１０９）、その後、図６のステップＳ８に示すように、異常判断部５０８を通じてチェック処理が正常に終了したか否かの判断を行う。
【００６０】
チェック処理において入力されたチェック結果に異常がないと判断した場合（ステップＳ８肯定）、デビット制御部５０２は、通知部５０９を通じてその旨を通知情報として送信し（ステップＳ９）、その後、デビットカードを用いた電子決済によるプリペイドカードの購入を可能にすべくデビットカード受付処理を実施する（ステップＳ１０）。
【００６１】
図９は、このデビットカード受付処理の詳細を示すフローチャートである。すなわち、デビットカード受付処理においてデビット制御部５０２は、表示部５５を通じてデビットカードの受付が可能である旨の表示を行い（ステップＳ２０１）、その後、デビットカードの挿入待ちとなる（ステップＳ２０２）。
【００６２】
利用者によってデビットカードが挿入され、さらに入力部５６を通じて決済情報（例えば暗証番号や希望金額等）が入力されると（ステップＳ２０３）、情報処理センタ１００に対して決済要求が送信され（ステップＳ２０４）、その後、決済完了通知の受信待ちとなる（ステップＳ２０５）。尚、本システムにおいて「決済希望金額」の入力は、併設されるカード発行機の金額選択ボタンが押下されることによって実行される。
【００６３】
上述したように、情報処理センタ１００のセンタ制御部１０４は、デビット決済端末装置５０から異常がない旨の通知情報を受信した場合（ステップＳ１２否定）、通知情報処理部１０３を通じて決済要求処理部１０１に該当デビット決済端末装置５０からの決済要求許可設定を行っている（ステップＳ１５）。従って、異常なしを示す通知情報の後にデビット決済端末装置５０から送信された決済要求に対しては、情報処理センタ１００において処理され、その後に決済完了通知が返送されることになる。
【００６４】
より詳細に説明すると、決済要求を受信した情報処理センタ１００は、決済要求に含まれる各種情報に基づいてＣＡＦＩＳネットワーク１１０のクリアリングセンタ１１１に決済処理を依頼する。依頼を受けたクリアリングセンタ１１１は、デビットカード発行銀行１２０及び加盟店銀行１３０の間で決済処理を行う。この決済処理は、例えば、今回の決済要求に応じた金額をデビットカード発行銀行１２０において遊技客の口座から引き落とす処理がある。この即時実行処理が終了すると、クリアリングセンタ１１１は、直ちに情報処理センタ１００に対して処理が終了した旨の通知を行う。通知を受けた情報処理センタ１００は、この通知に基づき、決済要求を送出したデビット決済端末装置５０に対して決済終了通知を送信する。
【００６５】
ステップＳ２０５において情報処理センタ１００からの決済完了通知を受信したデビット制御部５０２は、これをカード発行機３０に送信する（ステップＳ２０６）。この結果、正常な決済完了通知がカード発行機３０に送信された場合には、カード発行機３０でのプリペイドカードの購入が可能となり、さらにこのプリペイドカードを用いてパチンコ玉を借り受ければ、パチンコ機１０で遊技を行うことが可能となる。
【００６６】
これに対してチェック処理において入力されたチェック結果に異常があると判断した場合（ステップＳ８否定）、デビット制御部５０２は、自己診断処理の場合と同様に、通知部５０９を通じてその旨を通知情報として送信し、さらに表示部５５を通じて受付不可表示を行った後にエラーダウンする（ステップＳ４→ステップＳ５→ステップＳ６）。
【００６７】
一方、デビット決済端末装置５０から異常が発生した旨の通知情報を受信した情報処理センタ１００のセンタ制御部１０４においても先と同様に処理を行い、該当デビット決済端末装置５０からの決済要求拒否設定を行う（ステップＳ１１肯定→ステップＳ１２肯定→ステップＳ１３）。
【００６８】
つまり、チェック処理の結果、デビット制御部５０２が異常判断部５０８を通じて異常が発生していると判断した場合にも、デビット決済端末装置５０が直ちにエラーダウンするとともに、デビット決済端末装置５０からの決済要求も情報処理センタ１００で自動的に拒否設定されることになる。従って、仮にチェック処理に係る異常発生の原因が悪意のある者による不正改造にあるとしても、実質的にデビット決済が不可能になり、大きな損害を蒙る虞れがなくなる。
【００６９】
以上説明したように、上記遊技媒体貸出システムによれば、異常が発生した場合に確実、かつ迅速に対処することができ、情報処理センタ１００に対する報告の遅延や失念といったケアレスミスによる問題が発生することがなく、仮に不正な改造が行われていた場合にも迅速に対処することで損害を最小限に留めることが可能となる。この場合、操作者が送信操作をする必要がないため、チェック作業を容易化することができる。
【００７０】
しかも、操作者のみならず、デビット決済端末装置５０の自己診断処理結果からも異常を判断するようにしているため、異常の発見がより確実となる。さらに、全てのチェック項目に対してチェック結果が入力され、かつ異常がない場合にのみ決済要求受付状態に移行するようにしているため、操作者のチェック忘れによる問題が発生することもない。
【００７１】
一方、情報処理センタ１００にあっても、送信された通知情報をそのままデータベース化して管理することができるようになり、その作業もきわめて容易となる。この場合、操作者の識別情報とともに通知情報を格納するようにしているため、遊技店内部の不正を抑止する効果もある。さらに、チェック項目に関しては、情報処理センタ１００にこれを設定する手段１０２を設けるようにしているため、新たな不正の手口に対しても迅速に対応することが可能となる。
【００７２】
尚、上述した実施の形態では、遊技媒体貸出システムにおける電子決済システム及びこれに用いる電子決済端末装置を例示しているが、電子決済を行うものであれば、必ずしも遊技媒体貸出システムである必要はない。また、決済完了通知を与える対象機器についても必ずしもカード発行機である必要はない。さらに、デビット決済端末装置と対象機器（カード発行機）が一体的に構成される装置や、サービスを提供する部分（対象機器）が接続されないデビット決済端末装置についてもこの発明を適用することが可能である。
【図面の簡単な説明】
【００７３】
【図１】本発明の実施の形態である電子決済システムを適用した遊技媒体貸出システムの概略構成を示すブロック図である。
【図２】デビット決済端末装置の外観を例示した正面図である。
【図３】デビット決済端末装置の概略構成を示すブロック図である。
【図４】情報処理センタの概略構成を示すブロック図である。
【図５】情報処理センタのチェック項目設定部によるチェック項目設定例を示した概念図である。
【図６】デビット決済端末装置のデビット制御部が実行する処理の内容を示したフローチャートである。
【図７】デビット決済端末装置の通知部から通知情報が与えられた場合に情報処理センタのセンタ制御部が実行する処理の内容を示したフローチャートである。
【図８】図６に示したチェック処理の詳細を示すフローチャートである。
【図９】図６に示したデビットカード受付処理の詳細を示すフローチャートである。
【図１０】チェック項目の表示例を示す概念図である。
【符号の説明】
【００７４】
１      遊技店
１０      パチンコ機
２０      カード処理ユニット
３０      カード発行機
４０      カード精算機
５０      デビット決済端末装置
５１      筐体
５２      扉体
５３      デビットカード挿入／返却口
５４      レシート排出口
５５      表示部
５６      入力部
６０      島コントローラ
７０      ターミナルコントローラ
８０      カード会社センタ
１００      情報処理センタ
１０１      決済要求処理部
１０２      チェック項目設定部
１０３      通知情報処理部
１０４      センタ制御部
１０５      通信インターフェース部
１０６      表示部
１０７      入力部
１０８      データベース
１０９      メモリ
１１０      ＣＡＦＩＳネットワーク
１１１      クリアリングセンタ
１２０      デビットカード発行銀行
１３０      加盟店銀行
５０１      カード処理部
５０２      デビット制御部
５０３      印字部
５０４      メモリ
５０５      チェック項目表示制御部
５０６      識別情報取得部
５０７      チェック結果管理部
５０８      異常判断部
５０９      通知部
５１０      通信インターフェース部
【図１】
2006146770.tif 000003
【図２】
2006146770.tif 000004
【図３】
2006146770.tif 000005
【図４】
2006146770.tif 000006
【図５】
2006146770.tif 000007
【図６】
2006146770.tif 000008
【図７】
2006146770.tif 000009
【図８】
2006146770.tif 000010
【図９】
2006146770.tif 000011
【図１０】
2006146770.tif 000012